(57)【要約】【課題】エレベーター内における環境改善および犯罪の抑止を図ること。【解決手段】表示装置１００は、エレベーターの乗員に対して画像を表示する表示画面１０３を有する情報処理装置１０１と、情報処理装置１０１を支持する支持部材１０２と、を備えており、支持部材１０２が、表示画面１０３が乗員側に向くように、かつ、乗員の視線の高さよりも上側になるように、エレベーターのかごの内壁面に設置され、支持部材１０２が設置された際に、表示画面１０３の上辺が内壁面から離間するように、表示画面１０３を内壁面に対して所定の角度で傾斜させる。また、情報処理装置１０１が、表示画面１０３と同一面に、かご内を撮影する撮像部１０４を有している。【選択図】図１
2019151443.tif 000002
【特許請求の範囲】
【請求項１】
エレベーターの乗員に対して画像を表示する表示装置であって、
画像を表示する表示画面を有する情報処理装置と、
前記情報処理装置を支持する支持部材と、
を備え、
前記支持部材は、前記表示画面が前記乗員側に向くように、かつ、前記乗員の視線の高さよりも上側になるように、前記エレベーターのかごの内壁面に設置され、
前記支持部材が設置された際に、前記表示画面の上辺が前記内壁面から離間するように、当該表示画面を前記内壁面に対して所定の角度で傾斜させることを特徴とする表示装置。
【請求項２】
前記情報処理装置は、前記表示画面と同一面に、前記かご内を撮影する撮像部を有することを特徴とする請求項１に記載の表示装置。
【請求項３】
前記撮像部は、前記画像が表示されている間だけ撮影することを特徴とする請求項２に記載の表示装置。
【請求項４】
前記情報処理装置は、前記かごの照度を測定し、所定の照度以上になった場合に、前記画像を表示することを特徴とする請求項１〜３のいずれか一つに記載の表示装置。
【請求項５】
前記情報処理装置は、前記画像に関する情報を無線通信によって受信することを特徴とする請求項１〜４のいずれか一つに記載の表示装置。
【請求項６】
前記支持部材は、前記内壁面に対して磁力を用いて固定することを特徴とする請求項１〜５のいずれか一つに記載の表示装置。
【請求項７】
前記画像は、広告情報または管理情報であることを特徴とする請求項１〜６のいずれか一つに記載の表示装置。
【請求項８】
エレベーターのかご内に設置されたコンピュータに、
前記エレベーターの乗員に対して画像を表示する第１の処理と、
前記第１の処理によって表示される画像を見ている乗員を撮影する第２の処理と、
前記第２の処理によって撮影された情報を記憶する第３の処理と、
を実行させることを特徴とする防犯支援プログラム。
【発明の詳細な説明】
【技術分野】
【０００１】
この発明は、エレベーターの乗員に対して画像を表示する表示装置、及びエレベーターのかご内の防犯を支援する防犯支援プログラムに関する。
【背景技術】
【０００２】
従来から、一部のエレベーターのかご内において、エレベーターの乗員に対して、画像を表示する表示装置を備えたエレベーターは存在していた。
【０００３】
関連する技術として、具体的には、乗りかご内には運転盤が設けられ、その運転盤にかご内表示装置及びかご呼びが設置されており、表示装置は、乗りかごが位置する階を表示する機能およびコンテンツ情報を表示する機能を有するものがある（たとえば、下記特許文献１を参照。）。
【先行技術文献】
【特許文献】
【０００４】
【特許文献１】特開２０１７−１７８４８７号公報
【発明の概要】
【発明が解決しようとする課題】
【０００５】
しかしながら、表示装置は、あらかじめかご内の壁面に備え付けたものであり、表示画面を備えているのは、高価なエレベーターに限られる。そして、大多数のエレベーターにおいては、階数を表示する程度の表示装置は備えているものの、乗員に、各種の画像を提供する表示装置を備えてはいない、という問題があった。
【０００６】
この発明は、上述した従来技術による問題点を解消するため、取り付けおよび撤去が簡易で、エレベーター内の環境を改善することができ、エレベーター内での犯罪の発生を抑止することができる表示装置および防犯支援プログラムを提供することを目的とする。
【課題を解決するための手段】
【０００７】
上述した課題を解決し、目的を達成するため、この発明にかかる表示装置は、エレベーターの乗員に対して画像を表示する表示装置であって、画像を表示する表示画面を有する情報処理装置と、前記情報処理装置を支持する支持部材と、を備え、前記支持部材が、前記表示画面が前記乗員側に向くように、かつ、前記乗員の視線の高さよりも上側になるように、前記エレベーターのかごの内壁面に設置され、前記支持部材が設置された際に、前記表示画面の上辺が前記内壁面から離間するように、当該表示画面を前記内壁面に対して所定の角度で傾斜させることを特徴とする。
【０００８】
また、この発明にかかる表示装置は、上記の発明において、前記情報処理装置が、前記表示画面と同一面に、前記かご内を撮影する撮像部を有することを特徴とする。
【０００９】
また、この発明にかかる表示装置は、上記の発明において、前記撮像部が、前記画像が表示されている間だけ撮影することを特徴とする。
【００１０】
また、この発明にかかる表示装置は、上記の発明において、前記情報処理装置が、前記かごの照度を測定し、所定の照度以上になった場合に、前記画像を表示することを特徴とする。
【００１１】
また、この発明にかかる表示装置は、上記の発明において、前記情報処理装置が、前記画像に関する情報を無線通信によって受信することを特徴とする。
【００１２】
また、この発明にかかる表示装置は、上記の発明において、前記支持部材が、前記内壁面に対して磁力を用いて固定することを特徴とする。
【００１３】
また、この発明にかかる表示装置は、上記の発明において、前記画像が、広告情報または管理情報であることを特徴とする。
【００１４】
また、この発明にかかる防犯支援プログラムは、上記の発明において、エレベーターのかご内に設置されたコンピュータに、前記エレベーターの乗員に対して画像を表示する第１の処理と、前記第１の処理によって表示される画像を見ている乗員を撮影する第２の処理と、前記第２の処理によって撮影された情報を記憶する第３の処理と、を実行させることを特徴とする。
【発明の効果】
【００１５】
この発明にかかる表示装置によれば、エレベーター内における乗員の快適性を向上させ、エレベーター内の環境改善を図ることができるという効果を奏する。また、この発明にかかる防犯支援プログラムによれば、効率的に、エレベーター内の犯罪を抑止することができるという効果を奏する。
【図面の簡単な説明】
【００１６】
【図１】この発明にかかる実施の形態の表示装置の外観の一例（その１）を示す説明図である。
【図２】この発明にかかる実施の形態の表示装置の外観の一例（その２）を示す説明図である。
【図３】この発明にかかる実施の形態の表示装置の外観の一例（その３）を示す説明図である。
【図４】この発明にかかる実施の形態の表示装置の外観の一例（その４）を示す説明図である。
【図５】この発明にかかる実施の形態の表示装置の外観の一例（その５）を示す説明図である。
【図６】この発明にかかる実施の形態の表示装置を構成する情報処理装置のハードウエア構成の一例を示すブロック図である。
【図７】この発明にかかる実施の形態の表示装置を構成する情報処理装置の機能的構成の一例を示すブロック図である。
【図８】この発明にかかる実施の形態の表示装置が実行する処理の手順の一例を示すフローチャート（その１）である。
【図９】この発明にかかる実施の形態の表示装置が実行する処理の手順の一例を示すフローチャート（その２）である。
【図１０】この発明にかかる実施の形態の表示装置が実行する処理の手順の一例を示すフローチャート（その３）である。
【図１１】この発明にかかる実施の形態の表示装置の設置の一例を示す説明図である。
【図１２】撮像部が撮影した撮像情報の一例を示す説明図である。
【図１３】この発明にかかる実施の形態の表示装置の設置の別の一例を示す説明図である。
【発明を実施するための形態】
【００１７】
以下に添付図面を参照して、この発明にかかる表示装置および防犯支援プログラムの好適な実施の形態を詳細に説明する。
【００１８】
（表示装置１００の外観）
まず、この発明にかかる実施の形態の表示装置の外観について説明する。図１〜５は、この発明にかかる実施の形態の表示装置の外観の一例を示す説明図である。
【００１９】
図１において、符号１００は、エレベーターのかご内に設置され、エレベーターの乗員に対して画像を表示する表示装置である。表示装置１００は、情報処理装置１０１と、情報処理装置１０１を支持する支持部材１０２と、から構成される。また、図１において、符号１０３は、表示装置１００の表示画面（ディスプレイ）を示しており、符号１０４は、表示装置１００の撮像部（カメラ）を示している。
【００２０】
図１は、表示装置１００の全体の外観を示している。そして、図２は、図１の矢印Ａの方向から見た表示装置１００の外観である。また、図３は、図１の矢印Ｂの方向から見た表示装置１００の外観であり、図４は、図１の矢印Ｃの方向から見た表示装置１００の外観であり、図５は、図１の矢印Ｄの方向から見た表示装置１００の外観である。図１〜図５において、同じ構成部には同じ符号を付している。
【００２１】
図１〜図５のうち、図１および図２における表示装置１００は、支持部材１０２が、エレベーターのかご内の壁面に装着する形態を示しており、図３〜図５における表示装置１００は、支持部材１０２が、エレベーターのかご内のコーナーに装着する形態を示している。その形態の違いについての詳細は、後述する。
【００２２】
（支持部材１０２の構成）
図１および図２からわかるように、支持部材１０２は、前面部１０５、上端部１０６、壁面接着部１０７の３つの部材から構成されており、たとえば、１つの板状部材を折り曲げることによって、前面部１０５、上端部１０６、壁面接着部１０７の３つの部材としている。なお、図示は省略するが、前面部１０５、上端部１０６、壁面接着部１０７の３つの部材は一つの部材から構成されていなくてもよく、また、それぞれの別々の部材を、たとえばネジ止めなどによって結合することで、支持部材１０２を構成するようにしてもよい。
【００２３】
支持部材１０２の前面部１０５の面と、壁面接着部１０７の面とは、所定の角度（「角度Ｇ」）をなすように折り曲げられている。所定の角度（「角度Ｇ」）は、具体的には、以下のような条件によって定められる。すなわち、エレベーターの乗員の視線の高さよりも上側になるように設置された表示装置１００の表示画面１０３を乗員が顔を上げて見る際に、見やすい角度であることを条件としており、この条件を満たすように「角度Ｇ」を設定することが望ましい。
【００２４】
また、「角度Ｇ」は、乗員が、かご内のどの位置に立っていても、表示画面１０３が見やすいような角度が望ましい。したがって、より具体的には、「角度Ｇ」は１０°から８０°程度であることが望ましい。ただし、「角度Ｇ」は、この範囲に限定されるものではない。
【００２５】
また、図示は省略するが、「角度Ｇ」を可変にできるように構成してもよい。より具体的には、前面部１０５と壁面接着部１０７をそれぞれ別の部材として、それぞれの部材を接合部によって接合する。その接合部による接合の際に、両者が任意の角度となるように調整することによって、「角度Ｇ」を可変にすることができる。
【００２６】
このように、前面部１０５の面と、壁面接着部１０７の面とは、所定の角度（「角度Ｇ」）をなすようにすることによって、支持部材１０２は、表示画面１０３が乗員側に向くように、かつ、乗員の視線の高さよりも上側になるように、前記エレベーターのかごの内壁面に設置され、支持部材１０２が設置された際に、表示画面１０３の上辺（上端部１０６）が内壁面から離間するように、当該表示画面１０３を前記内壁面に対して所定の角度（「角度Ｇ」）で傾斜させるようにすることができる。
【００２７】
なお、表示装置１００の設置位置に関する詳細については、図１１〜図１３を用いて、後述する。
【００２８】
また、支持部材１０２は、図１および図４に示すように、情報処理装置止め部１０８を有している。情報処理装置止め部１０８は、情報処理装置１０１が支持部材１０２から脱落しないように、情報処理装置１０１を押さえる部材である。
【００２９】
支持部材１０２の材質は、具体的には、アルミニウムなどの金属であってもよく、また、プラスチックなどの非金属であってもよい。また、前面部１０５、上端部１０６、壁面接着部１０７ごと、それぞれ別の材質を用いるようにしてもよい。
【００３０】
また、図２〜図５に示すように、支持部材１０２は、情報処理装置保持部２０１を有している。情報処理装置保持部２０１は、前面部１０５と、壁面接着部１０７ではさまれた間に設けられており、その一端には、情報処理装置止め部１０８が設けられている。情報処理装置１０１は、前面部１０５と、上端部１０６と、情報処理装置保持部２０１とによって形成された空間に収納される。そして、情報処理装置保持部２０１は、前面部１０５、上端部１０６、情報処理装置止め部１０８と相まって、情報処理装置１０１を確実に保持することができる。
【００３１】
（支持部材１０２の前面部１０５および上端部１０６について）
図３に示すように、支持部材１０２の前面部１０５には、表示画面用孔３０２と、撮像部用孔３０３が設けられている。また、図３は、情報処理装置１０１が、支持部材１０２に装着される前の状態を示している。情報処理装置１０１には、表示画面１０３と、撮像部１０４とが設けられている。図３に示すように、表示画面１０３と撮像部１０４とは、情報処理装置１０１の同一面に設けられている。
【００３２】
図３の矢印に示す方向に、情報処理装置１０１をスライドさせ、前面部１０５と、上端部１０６と、情報処理装置保持部２０１との間に設けられた空間に挿入することによって、情報処理装置１０１を支持部材１０２に装着することができる。
【００３３】
そして、支持部材１０２の前面部１０５の表示画面用孔３０２に情報処理装置１０１の表示画面１０３を合わせる。また、支持部材１０２の前面部１０５の撮像部用孔３０３に情報処理装置１０１の撮像部１０４を合わせる。もともと、前面部１０５において、表示画面用孔３０２および撮像部用孔３０３は、情報処理装置１０１を装着した際に、表示画面１０３および撮像部１０４の位置と一致するように設けられている。
【００３４】
図１〜図５からもわかるように、上端部１０６は、情報処理装置１０１をスライドして装着する際のガイドとしての役割と、装着された情報処理装置１０１が、上側から飛び出すのを防止する防止部材の役割を果たしている。また、情報処理装置１０１が、乗員に対して見えないようにするための目隠しとしての役割や、物の落下などの外部（特に上方）からの衝撃から情報処理装置１０１を保護する役割も果たしている。
【００３５】
情報処理装置１０１を支持部材１０２に装着後、情報処理装置止め部１０８によって、情報処理装置１０１の移動を固定する。これによって、図１に示したような、表示装置１００が完成する。図４に示すように、情報処理装置止め部１０８は可動式の構造となっており、情報処理装置止め部１０８による固定を解除することによって、情報処理装置１０１は、容易に支持部材１０２から取り外すことが可能となる。
【００３６】
（壁面接着部１０７について）
図２に示すように、壁面接着部１０７の前面部１０５とは反対側の表面には、磁石部材２０２が設けられている。磁石部材２０２は、たとえば、接着剤などを用いて壁面接着部１０７に貼り付けることにより、壁面接着部１０７の表面に設けることができる。磁石部材２０２は、図２に示すように、壁面接着部１０７の表面のほぼ全面に設けるようにしてもよく、また、図示を省略するが、壁面接着部１０７の表面の一部（たとえば周辺部や中央部）にのみ設けるようにしてもよい。
【００３７】
表示装置１００をエレベーターのかごの内壁面に対して磁力を用いて固定（接着）するのは、ネジ止めなどの一般的な設置作業と比較して、表示装置１００の設置作業をより容易にするためである。また、一般的な撤去作業と比較して、表示装置１００の撤去作業をより容易にするためである。さらには、撤去に際しての、内壁面の修復作業をより簡易にするためである。ネジ止めなどの一般的な設置方法により表示装置１００を設置した場合は、内壁面に孔や傷（設置痕）が生じてしまうため、その修復のための時間や費用がかかってしまう。磁力を用いて固定することによって、これらの時間や費用がかかることを防止することができる。
【００３８】
また、表示装置１００をエレベーターのかごの内壁面に対して磁力を用いて固定（接着）することによって、表示装置１００の設置位置の自由度の幅が大きくなる。一般的に、エレベーターの種類や、かご内の状況などは多種多様である。磁力を用いて固定することによって、そのような状況において、表示装置１００を設置に際して支障のない位置に容易に設置することができる。
【００３９】
また、磁力を用いて固定（接着）することによって、設置後の表示装置１００の設置位置の移動が容易である。したがって、一旦、表示装置１００を設置したが、表示装置１００が見えづらいなどの理由によって、別の位置へ容易に移動させることができる。また、表示装置１００を容易に移動させることができることから、定期的に、かご内において、表示装置１００の設置位置を移動させることで、かご内の雰囲気を変えることができ、乗員に対して、新鮮な感覚を与えることもできる。
【００４０】
また、図３において、符号３００ａおよび３００ｂは、接着補助部であり、壁面接着部１０７に接合される。壁面接着部１０７と接着補助部３００ａおよび３００ｂの接合は、図示は省略するが、ネジ止めなどでもよく、また、その他（磁力など）の方法であってもよい。
【００４１】
接着補助部３００ａの一辺と接着補助部３００ｂ一辺とが最も近づく点（図４および図５に示す「Ｘ」）において、両者が形成する角度は略９０°である。これによって、エレベーターのかごのいずれかの四隅（コーナー）にこのＸ点を配置させるように、そのコーナーをはさんだ内壁面に、接着補助部３００ａおよび３００ｂを接触させることができる。そのために、接着補助部３００ａおよび３００ｂの表面には、それぞれ、磁石部材５００ａ（図５参照）、磁石部材４００ｂ（図４参照）が設けられている。
【００４２】
接着補助部３００ａおよび３００ｂは、壁面接着部１０７に容易に取り外し可能に接合しているため、表示装置１００を設置するエレベーターを実際の現場で確認して、表示装置１００を接着する位置（内壁面にするか、あるいは、四隅（コーナー）にするか）を決め、それに応じて、接着補助部３００ａおよび３００ｂを使用するか否かを決めることができる。このように、接着補助部３００ａおよび３００ｂを用いることによって、支持部材１０２自体を取り替えることなく、表示装置１００の設置位置の自由度の幅を広げることができる。
【００４３】
また、符号３０１は、蓋部であり、壁面接着部１０７と、接着補助部３００ａおよび３００ｂとによって形成される直角二等辺三角形の上側に嵌合する。蓋部３０１を嵌合した後、図示を省略するが、ネジ止めなどによって、壁面接着部１０７と、接着補助部３００ａおよび３００ｂで固定する。これによって、壁面接着部１０７と、接着補助部３００ａおよび３００ｂとの接合を補強して強度を上げることができる。それにより、表示装置１００をかごのコーナーにより安定して固定（接着）することができる。
【００４４】
（情報処理装置１０１のハードウエア構成）
図６は、この発明にかかる実施の形態の表示装置を構成する情報処理装置のハードウエア構成の一例を示すブロック図である。図６において、表示装置１００は、ＣＰＵ６０１と、メモリ６０２と、各種センサ６０３と、ＧＰＳ（Ｇｌｏｂａｌ  Ｐｏｓｉｔｉｏｎｉｎｇ  Ｓｙｓｔｅｍ）受信機６０４と、カメラ６０５と、ディスプレイ６０６と、スピーカ６０７、入出力デバイス６０８と、通信インタフェース６０９と、を備える。
【００４５】
ＣＰＵ６０１は、メモリ６０２に記憶されたプログラムを実行することによって、表示装置１００の装置全体の制御をつかさどる。メモリ６０２は、ＣＰＵ６０１が実行するプログラムを記憶するととともに、取得した各種情報を記憶する。メモリ６０２は、ハードディスクメモリのほか、ＩＣメモリ、ＳＳＤ（Ｓｏｌｉｄ  Ｓｔａｔｅ  Ｄｒｉｖｅ）などであってもよい。
【００４６】
各種センサ６０３は、照度センサを含む。照度センサは、光を電気信号に変換する、フォトトランジスタや、フォトダイオードを用いて、照らされる面の明るさを数値化することで、単位面積あたりの光束を測定する。これにより、照度センサの周辺の照度の値を測定することができる。各種センサ６０３は、照度センサのほか、加速度センサ、振動センサ、傾きセンサ、温度センサ、人感センサ（人の動きなどによって、人がいることを検知するセンサ）などのセンサを含む。
【００４７】
ＧＰＳ受信機６０４は、３つ乃至５つのＧＰＳ衛星からの電波を受信し、ＧＰＳ衛星との幾何学的位置を求めるものであり、地球上どこでも計測可能である。電波としては、１，５７５．４２ＭＨｚの搬送波で、Ｃ／Ａ（Ｃｏａｒｓｅ  ａｎｄ  Ａｃｃｅｓｓ）コードおよび航法メッセージが載っているＬ１電波を用いておこなわれる。Ｃ／Ａコードはビット率１．０２３Ｍｂｐｓで、コードの長さは１０２３ｂｉｔ＝１ｍｓである。また、航法メッセージはビット率５０ｂｐｓで、コードの長さは、サブフレームが３００ｂｉｔ＝６ｓであり、メインフレームが１５００ｂｉｔ＝３０ｓであり、５サブフレームが１メインフレームであり、２５メインフレームが１マスターフレームである。すなわち、ＧＰＳ衛星からの電波を受信してＧＰＳ測位データを出力する。
【００４８】
ＧＰＳ受信機６０４により、表示装置１００の現在位置を把握することができる。したがって、表示装置１００が持ち去られるなどによって、その設置位置が変わった場合であっても、その所在位置がわかるため、表示装置１００の盗難防止の役割を果たすことができる。
【００４９】
カメラ６０５は、撮像素子を備え、撮像素子がレンズを通して受光した光を電気信号に変換することによって、画像情報を取得する。カメラは、静止画を撮影するものであってもよく、動画を撮影するものであってもよい。
【００５０】
ディスプレイ６０６は、電力量その他の各種情報を表示する液晶表示器（ＬＣＤ：Ｌｉｑｕｉｄ  Ｃｒｙｓｔａｌ  Ｄｉｓｐｌａｙ）、有機ＥＬ（Ｅｌｅｃｔｒｏ−Ｌｕｍｉｎｅｓｃｅｎｃｅ）ディスプレイなどによって実現される。ディスプレイ６０６には、算出した最新の位置情報を表示するようにしてもよい。
【００５１】
スピーカ６０７は、音声信号である電気信号によって振動板を振動させて音を発生させる。また、スピーカ６０７は、音声信号を出力する出力端子であってもよく、当該出力端子に外部スピーカを接続して、音を発生させるようにしてもよい。スピーカ６０７により、表示装置１００の表示画面１０３（ディスプレイ６０６）に表示される画像と連動した音声あるいは画像とは連動しない音声を発生することができる。
【００５２】
入出力デバイス６０８は、文字、数字、各種指示などの入力のためのキーまたはボタンなどを備え、情報処理装置１０１に対して、操作の指示やデータの入力をおこなうことができる。入出力デバイス６０８は、具体的には、たとえば、入力操作内容を指定する操作キーやテンキーなどを表示するディスプレイ６０６および当該ディスプレイ６０６に積層されたタッチパネルによって、その機能を実現することができる。この場合、液晶ディスプレイの表示内容を変更することにより、複数のキーを設けることなく、タッチパネルを介して複数種類の入力操作をおこなうことができる。
【００５３】
また、入出力デバイス６０８は、情報処理装置１０１に設けられたメカ的なスイッチなどによって、その機能を実現するようにしてもよい。また、入出力デバイス６０８は、情報処理装置１０１に設けられた入力端子に各種装置を接続して、当該各種装置からの情報の入力であってもよい。また、入出力デバイス６０８は、情報処理装置１０１に接続可能な外部記録媒体（外付けハードディスク、ＩＣメモリ、ＵＳＢメモリ、ＳＳＤなど）によって、その機能を実現するようにしてもよい。
【００５４】
通信インタフェース６０９は、通信回線を通じて情報処理装置１０１と接続されるインタフェースである。通信インタフェース６０９には、たとえば、Ｗｉ−Ｆｉ（登録商標）による無線インタフェースであり、インターネットなどのネットワーク６５０に接続される。また、通信インタフェース６０９は、携帯電話回線、ＰＨＳ、Ｂｌｕｅｔｏｏｔｈ（登録商標）などの無線通信のインタフェースであってもよく、また、モデムやＬＡＮアダプタなどの有線通信のインタフェースを採用することができる。そして、通信インタフェース６０９は、ネットワークと内部のインタフェースをつかさどり、外部装置からのデータの入力および外部装置へのデータの出力を制御する。
【００５５】
（情報処理装置１０１の機能的構成）
図７は、この発明にかかる実施の形態の表示装置を構成する情報処理装置の機能的構成の一例を示すブロック図である。図７において、表示装置１００は、画像情報受信部７０１と、画像情報記憶部７０２と、制御部７０３と、撮像情報記憶部７０４と、照度測定部７０５とを、含む構成となっている。さらに、表示装置１００は、上述した表示画面１０３と、撮像部１０４を含んでいる。
【００５６】
画像情報受信部７０１は、図示を省略する管理サーバ（画像送信サーバ）から、画像に関する情報（画像情報）を無線通信によって受信する。画像情報受信部７０１は、具体的には、たとえば、図６に示した通信インタフェース６０９などによって、その機能を実現することができる。
【００５７】
画像情報記憶部７０２は、画像情報受信部７０１によって受信した画像情報を所定の記憶領域に記憶する。画像情報記憶部７０２は、具体的には、たとえば、図６に示したＣＰＵ６０１が、メモリ６０２などに記憶されたプログラムを実行することによって、また、図６に示したメモリ６０２などによって、その機能を実現することができる。また、図６に示した入出力デバイス６０８、より具体的には外部記録媒体などによって、その機能を実現することもできる。
【００５８】
制御部７０３は、表示装置１００の全体の制御をつかさどる。制御部７０３は、具体的には、たとえば、図６に示したＣＰＵ６０１が、メモリ６０２などに記憶されたプログラムを実行することによって、その機能を実現することができる。
【００５９】
制御部７０３は、表示画面１０３を制御して、画像情報記憶部７０２に記憶された画像情報を表示する。表示画面１０３は、具体的には、たとえば、図６に示したディスプレイ６０６などによって、その機能を実現することができる。
【００６０】
表示画面１０３に表示される画像は、画像情報記憶部７０２から、あらかじめ定められた順序で、順次表示される。表示の順序はランダムであってもよい。また、画像情報には、優先順位が設定されていてもよく、その優先順位の重み付けによって、再生される頻度が変わるようにしてもよい。
【００６１】
表示される画像は、時刻によって変えるようにしてもよい。具体的には、朝と日中と夕方とでは、表示する画像を変えてもよい、また、エレベーターのかごが移動中の場合と、かごが、所定の階に停止している間とで、表示する画像を変えてもよい。また、かごが上昇している場合と、下降している場合とで、表示する画像を変えてもよい。かごが移動中か／停止しているか、あるいは、上昇しているか／下降しているかについては、たとえば、図６に示した各種センサ（加速度センサ）６０３などの測定結果に基づいて判断するようにしてもよい。
【００６２】
また、表示される画像は、広告情報または管理情報であってもよい。広告情報であれば、広告主からの広告料を徴収することができる。管理情報であれば、乗員に対して、有用な情報を効率的にかつ的確に提供することができる。表示装置１００の表示画面１０３に管理情報（具体的には、ビルのメンテナンスや停電情報、その他の告知）を表示するので、かご内における貼り紙などによる告知よりもより、乗員の記憶に残りやすい。また、貼り紙は、貼り出す手間や、それを撤去する手間がかかるが、表示装置１００の表示画面１０３に表示するのであれば、それらの手間をかけないで済む。
【００６３】
また、制御部７０３は、撮像部１０４を制御して、かご内を撮影する。撮像部１０４は、具体的には、たとえば、図６に示したカメラ６０５などによってその機能を実現することができる。その際、制御部７０３は、撮像部１０４を制御して、表示画面１０３に画像を表示している間だけ撮影するようにしてもよい。したがって、撮像部１０４は、表示画面１０３において画像の表示が開始するタイミングに合わせて、かご内の撮影を開始し、表示画面１０３において画像の表示が終了するタイミングに合わせて、かご内の撮影を終了するようにしてもよい。
【００６４】
撮像情報記憶部７０４は、撮像部１０４によって撮影された撮影情報を所定の記憶領域に記憶する。画像情報記憶部７０２は、具体的には、たとえば、図６に示したメモリ６０２によって、その機能を実現することができる。また、図６に示した入出力デバイス６０８、より具体的には外部記録媒体などによって、その機能を実現することもできる。
【００６５】
撮像部１０４は、表示画面１０３と同一面に設けられているため、かご内を撮影すると、表示画面１０３を見ている乗員の顔を撮影することができる（図１２を参照）。乗員は、かごに乗り込んだ際に、表示装置１００の表示画面１０３に画像が表示されていると、通常は、無意識に、表示画面１０３を見てしまうと考えられる。したがって、撮像部１０４は、より確実に、乗員の顔を撮影することができる。
【００６６】
また、カメラで撮影していることを乗員に事前に告知しておくことによって、乗員は、表示画面１０３と同一面に撮像部１０４があることを認識するようにしてもよい。
【００６７】
照度測定部７０５は、かごの照度を測定する。照度測定部７０５は、具体的には、たとえば、図６に示したカメラ６０５、各種センサ６０３（照度センサ）などによって、その機能を実現することができる。制御部７０３は、照度測定部７０５によって測定された結果、所定の照度以上になっている間だけ、表示画面１０３を制御して、画像情報記憶部７０２に記憶された画像情報を表示するようにしてもよい。したがって、所定の照度以上になった場合に、画像の表示を開始し、所定の照度未満になった場合に、当該画像の表示を停止するようにしてもよい。
【００６８】
ここで、所定の照度以上とは、たとえば、かご内の照明が点灯されている状態であると想定できる程度の照度以上であることを示している。したがって、所定の照度未満であるときは、かご内の照明が消灯されている状態であると想定できる。かご内の照度は、エレベーターの種類や設置環境によって異なる場合があるため、表示装置を設置する際に、個別に、所定の照度の値を設定するようにするとよい。
【００６９】
このようにすることで、かご内の照明の点灯／消灯に合わせて、画像の表示を制御することができる。かご内の照明が消灯されている場合は、乗員がいないことが明らかなので、画像を表示する必要がない。このように、画像の表示を停止することによって、無駄な電力消費を効率よく抑制することができる。
【００７０】
また、かご内の照明の点灯／消灯に合わせて、かご内の撮影を制御することができる。かご内が照明が消灯されている場合は、乗員がいないことが明らかなので、かご内を撮影する必要がない。このように、かご内の撮影を停止することによって、無駄な電力消費および記憶領域の記憶容量の使用を効率よく抑制することができる。
【００７１】
（表示装置１００の処理手順）
図８〜図１０は、この発明にかかる実施の形態の表示装置が実行する処理の手順の一例を示すフローチャートである。
【００７２】
図８のフローチャートは、表示装置１００における画像の表示制御および撮影制御に関する処理の内容を示している。図８のフローチャートにおいて、表示装置１００は、照度測定部７０５の測定結果に基づいて、かご内の照度の変化を検出したか否かを判断する（ステップＳ８０１）。ここで、照度の変化を検出しない場合（ステップＳ８０１：Ｎｏ）は、何もせずに、現在の状態を維持する。
【００７３】
一方、ステップＳ８０１において、かご内の照度の変化を検出した場合（ステップＳ８０１：Ｙｅｓ）は、つぎに、かご内の照度が所定の照度以上に変化したか否かを判断する（ステップＳ８０２）。ここで、所定の照度以上に変化した場合（ステップＳ８０２：Ｙｅｓ）は、かご内の照明が点灯されたと判断し、画像表示制御をＯＮにして、表示画面１０３において画像の表示を開始する（ステップＳ８０３）。
【００７４】
それにともなって、撮影制御をＯＮにして、かご内の撮影を開始する（ステップＳ８０４）。そして、撮影された撮影情報を所定の記憶領域に記憶する（ステップＳ８０５）。その後、ステップＳ８０１へ戻り、以後、ステップＳ８０１において、照度の変化を検出するまでは、画像の表示処理およびかご内の撮影処理を継続して実行する。
【００７５】
ステップＳ８０１において、かご内の照度の変化を検出し（ステップＳ８０１：Ｙｅｓ）、ステップＳ８０２において、その変化が、かご内の照度が所定の照度以上でない、すなわちかご内の照度が所定の照度未満である場合（ステップＳ８０２：Ｎｏ）は、かご内の照明が消灯されたと判断し、画像表示制御をＯＦＦにして、表示画面１０３における画像の表示を停止する（ステップＳ８０６）。
【００７６】
それにともなって、撮影制御もＯＦＦにして、かご内の撮影を停止する（ステップＳ８０７）。その後、ステップＳ８０１へ戻り、以後、ステップＳ８０１において、照度の変化を検出するまでは、画像の表示処理の停止状態およびかご内の撮影処理の停止状態を維持する。
【００７７】
さらに、図示は省略するが、所定の照度以上で、かつ、図６に示した各種センサ（人感センサ）などによって、かご内に乗員がいることを検出した場合にのみ、画像表示およびかご内の撮影をＯＮにし、所定の照度以上であっても、かご内に乗員がいないと判断した場合には、画像表示およびかご内の撮影はＯＦＦにするようにしてもよい。具体的には、かご内が空の状態で移動している場合にも、かご内の照明が点灯されている場合があり、その場合であっても、消費電力を抑制するために、画像表示およびかご内の撮影をおこなわないようにすることもできる。
【００７８】
図９のフローチャートは、表示装置１００における画像の受信制御および受信した画像の管理に関する処理の内容を示している。図９のフローチャートにおいて、表示装置１００は、管理サーバ（画像送信サーバ）から送信されてきた画像情報を受信したか否かを判断する（ステップＳ９０１）。ここで、画像情報を受信していない場合（ステップＳ９０１：Ｎｏ）は、ステップＳ９０７へ移行する。
【００７９】
一方、ステップＳ９０１において、画像情報を受信した場合（ステップＳ９０１：Ｙｅｓ）は、表示装置１００内の記憶領域に、受信した画像情報を記憶できる空きがあるか否かを判断する（ステップＳ９０２）。ここで、記憶領域に空きがない場合（ステップＳ９０２：Ｎｏ）は、すでに、表示装置１００内の記憶領域に記憶されている別の画像情報を削除する（ステップＳ９０３）。そして、当該別の画像情報を削除した旨を管理サーバ（画像送信サーバ）に対して通知する（ステップＳ９０４）。これは、各表示装置１００に記憶されている画像情報および削除された画像情報の状況について管理サーバ（画像送信サーバ）に把握させるためである。
【００８０】
削除する別の画像情報は、たとえば、以下のルールによって決定するようにしてもよい。そして、各ルールを適用する際における優先順位についても、任意に設定することができる。たとえば、
【００８１】
（１）受信した日時が最も古い画像情報（常により新しい画像情報を表示するようにするため）
（２）すでに再生された回数が最も多い画像情報（乗員が繰り返し見て飽きている可能性が高いため）
（３）再生期間の終了日時が最も近い画像情報（同上）
（４）記憶容量が最も大きい画像情報（より多くの記憶容量を確保するため）あるいは最も小さい画像情報（再度、受信する際により速く受信できるため）
（５）再生期間の開始日時が未だ来ていない画像情報（とりあえず、開始日時までは記憶しておく必要がないため）
（６）その他、別途、送信されてきた指示情報によって指示された画像情報（広告提供企業との契約や画像表示のために支払われた広告料などを考慮するため）
【００８２】
その後、ステップＳ９０２へ戻って、再度、記憶領域に空きがあるか否かを判断する（ステップＳ９０２）。ここで、未だ、記憶領域の空きがない（足りない）場合（ステップＳ９０２：Ｎｏ）は、ステップＳ９０３およびステップＳ９０４を、記憶領域の空きが発生するまで、繰り返し実行する。
【００８３】
また、図示は省略するが、記憶領域の空きがない（足りない）場合（ステップＳ９０２：Ｎｏ）は、上記ステップＳ９０３およびＳ９０４の各処理をおこなわずに、たった今、受信した画像情報を破棄するようにしてもよい。
【００８４】
ステップＳ９０２において、記憶領域に空きがある（空きができた）場合（ステップＳ９０２：Ｙｅｓ）は、受信した画像情報を記憶領域に記憶する（ステップＳ９０５）。そして、画像情報の受信が成功した旨を管理サーバ（画像送信サーバ）に通知する（ステップＳ９０６）。その後、ステップＳ９０７へ移行する。
【００８５】
つぎに、ステップＳ９０７において、記憶領域に記憶されている画像情報の中に、期限切れ、すなわち、あらかじめ定められた再生期間の終了日時が経過した画像情報があるか否かを判断する（ステップＳ９０７）。ここで、期限切れの画像情報がない場合（ステップＳ９０７：Ｎｏ）は、何もせずに、ステップＳ９０１へ戻る。一方、期限切れの画像情報がある場合（ステップＳ９０７：Ｙｅｓ）は、当該期限切れの画像情報を削除する（ステップＳ９０８）。これにより、記憶領域における空き領域を効率よく確保することができる。その後、ステップＳ９０１へ戻って、以後、ステップＳ９０１〜ステップＳ９０８の各ステップによる処理を繰り返し実行する。
【００８６】
図１０のフローチャートは、表示装置１００における画像の受信制御に関する処理の内容を示している。図１０のフローチャートにおいて、表示装置１００は、管理サーバ（画像送信サーバ）から送信されてきた画像情報のファイルの一部のみのデータを受信したか否かを判断する（ステップＳ１００１）。ここで、画像情報のファイルの一部のみのデータを受信していない場合（ステップＳ１００１：Ｎｏ）は、ステップＳ１００１へ戻る。そして、画像情報のファイルの一部のみのデータを受信した場合（ステップＳ１００１：Ｙｅｓ）は、当該データを所定の記憶領域に記憶する（ステップＳ１００２）。
【００８７】
つぎに、ファイルを構成するすべてのデータが記憶されているか否かを判断する（ステップＳ１００３）。ここで、すべてのデータが未だ記憶されていない場合（ステップＳ１００３：Ｎｏ）は、ステップＳ１００１へ戻る。一方、すべてのデータが記憶されている場合（ステップＳ１００３：Ｙｅｓ）は、記憶されているデータでファイルを再構築する（ステップＳ１００４）。
【００８８】
ここで、ファイルを構成するすべてのデータが揃っているか否かについての判断、および、ファイルの再構築処理は、具体的には、たとえば、各データのヘッダ部分の情報に基づいて、おこなうことができる。
【００８９】
そして、ファイルの再構築ができた場合に、当該ファイルにかかる画像処理が受信できたと判断する（ステップＳ１００５）。これにより、図９のフローチャートのステップＳ９０１の判断において、画像情報を受信したと判断することができる。
【００９０】
（表示装置の設置例）
図１１は、この発明にかかる実施の形態の表示装置の設置の一例を示す説明図である。図１１は、エレベーターのかご１１００内の様子を示しており、図１１において、エレベーターのかご１１００内には、乗員が出入りする出入り口部分の扉１１０１と、かごに搭乗した乗員が操作する操作盤１１０２と、が備えられている。
【００９１】
表示装置１００は、図１１においては、扉１１０１および操作盤１１０２が設けられている壁面と同一の壁面に設けられている。これは、通常、かご内の乗員が、扉１１０１側の面を向いて立つことが一般的であることを想定している。
【００９２】
さらに、表示装置１００は、扉１１０１よりも向かって左側であって、扉１１０１の上端よりも上側に設置されていることがわかる。これにより、乗員の頭の高さよりも上側に設置されているので、表示装置１００が乗員により容易に触れることができない。したがって、乗員により表示装置１００が取り外されたり、表示装置１００を不正に操作されることを防止することができる。
【００９３】
このように、扉１１０１と同一の壁面の扉１１０１の上端よりも上側に設置することによって、エレベーターのかご１１００内に乗り込んだ乗員が、表示装置１００の表示画面を認識することができる。
【００９４】
図１２は、撮像部が撮影した撮像情報の一例を示す説明図である。図１２に示すように、表示画面１０３と同一面に設けられた撮像部１０４が撮影する画像は、エレベーターのかご１１００内を上側から撮影していることがわかる。すなわち、現在、かご１１００内には、２名の乗員がおり、２名の乗員の首が上向きになっていることから、いずれの乗員も、表示装置１００の表示画面１０３に表示されている画像を見ているということがわかる。
【００９５】
エレベーターのかご内では、通常、下を向く場合が多い。これは、狭い空間においては、できるだけ、他人と目を合わせないようにしようという意識が働くからだと考えられている。特に近年は、スマートフォンの普及により、同乗した他の乗員との関わりを避けるために下を向いている。
【００９６】
そこで、表示装置１００に画像を表示し、その画像を乗員に見させることによって、乗員にできるだけ上を向かせるようにしている。顎を上げることによって、背筋が伸び、気道の確保に繋がり、呼吸がより楽になったり、血行がよくなったりすることから、乗員のリフレッシュを促進することができる。また、乗員に上を向かせることで、下を向いているよりも、同乗の他の乗員にも自然と注意が向くようになり、他の乗員の不審な行動を事前に察知することができる。
【００９７】
そして、スマートフォンを見るのではなく、同じ内容の画像情報を他の乗客と一緒に見ることによって、互いに同じ情報を共有することができる。このように、同時に互いに同じ情報を共有することによって、たとえば、たまたまエレベーターに乗り合わせた同じマンションの住民同士の良好なコミュニケーションを図る機会を与えることができる。また、たとえば、同じオフィスビルなどの他の会社の社員と意見を交換することができるようになる。
【００９８】
このように、表示装置１００は、エレベーター内に設けられた「天窓」をイメージすることができ、狭い空間において、窓がないことによる乗員の閉塞感を解消し、環境を改善し、短い時間においても、できるだけ乗員のリフレッシュに配慮することができる。また、この表示装置１００という、エレベーターに設けられた仮想の窓は、乗員に清涼感を与えるとともに、他の乗員と同じ内容の画像情報を共有することによって、同乗者の疎遠になった人間関係の改善に寄与することができる。
【００９９】
発明者らは、上述のように、エレベーターのかご内に設けられた表示装置１００において画像を表示することを、「（通常、設けることが困難な）エレベーターに窓を設けること」と考え、エレベーターのかご内の上側に、表示画面１０３を下側に向けて設置する表示装置１００に、乗員の快適性を求め、それによって、かご内の環境改善の向上を目指している。
【０１００】
図１３は、この発明にかかる実施の形態の表示装置の設置の別の一例を示す説明図である。図１３において、表示装置１００は、エレベーターのかご内の扉および操作盤がある壁面と、その壁面の向かって右側面との角（コーナー）に設けられていることがわかる。
【０１０１】
このように、接着補助部３００ａ、３００ｂを用いて、表示装置１００をコーナーに設置することによって、かご内の空間をより有効に活用することができる。また、表示装置１００をコーナーに設置することによって、かご内の乗員がどの位置に立っていても、表示画面１０３を見やすくすることができる。
【０１０２】
以上説明したように、この発明にかかる実施の形態の表示装置１００は、エレベーターの乗員に対して画像を表示する表示装置であって、画像を表示する表示画面１０３を有する情報処理装置１０１と、情報処理装置１０１を支持する支持部材１０２と、を備えており、支持部材１０２が、表示画面１０３が乗員側に向くように、かつ、乗員の視線の高さよりも上側になるように、エレベーターのかごの内壁面に設置され、支持部材１０２が設置された際に、表示画面１０３の上辺が内壁面から離間するように、表示画面１０３を内壁面に対して所定の角度で傾斜させているので、エレベーターの乗員は、表示画面を見るためには、上を見なければならない。このように、乗員に無意識に上を向かせることによって、快適性を向上させ、防犯にも役立てることができる。
【０１０３】
また、この発明にかかる実施の形態の表示装置１００は、情報処理装置１０１が、表示画面１０３と同一面に、かご内を撮影する撮像部１０４を有しているので、表示画面１０３を見ている乗員の顔を撮影することができ、撮影された画像が記憶されるので、犯罪の抑止などに役立てることができる。
【０１０４】
また、この発明にかかる実施の形態の表示装置１００は、撮像部１０４が、画像が表示されている間だけ撮影するので、撮影のための消費電力を抑えることができるとともに、撮影画像を記憶する記憶領域の容量を節約することができる。
【０１０５】
また、この発明にかかる実施の形態の表示装置１００は、かごの照度を測定し、所定の照度以上になった場合に、画像を表示するので、画像を表示するための消費電力を抑えることができる。
【０１０６】
また、この発明にかかる実施の形態の表示装置１００は、画像に関する情報を無線通信によって受信するので、効率よく、新しい画像情報を取得し、表示することができる。
【０１０７】
また、この発明にかかる実施の形態の表示装置１００は、内壁面に対して磁力を用いて固定するので、表示装置１００の取り付け作業が容易で、かつ、取り外し作業が容易にできる。また、取り付け場所の幅が広く、取り付けた後に、取り付け場所を容易に変更することができる。
【０１０８】
また、この発明にかかる実施の形態の表示装置１００は、画像が、広告情報または管理情報であるので、エレベーターの乗員に対して、効率的に広告活動をおこなうことができ、また、乗員においては有用な情報をエレベーター内において取得することができる。
【０１０９】
また、この発明にかかる実施の形態の防犯支援プログラムは、エレベーターのかご内に設置されたコンピュータ（情報処理装置１０１）に、エレベーターの乗員に対して画像を表示する第１の処理と、第１の処理によって表示される画像を見ている乗員を撮影する第２の処理と、第２の処理によって撮影された情報を記憶する第３の処理と、を実行させるので、エレベーターの乗員に対して情報を提供することができるとともに、エレベーター内で発生する虞れがある犯罪行為などを抑止し、エレベーター内の防犯に寄与することができる。
【０１１０】
なお、本実施の形態で説明した防犯支援プログラムは、あらかじめ用意されたプログラムをパーソナルコンピュータやワークステーションなどのコンピュータで実行することにより実現することができる。防犯支援プログラムは、ハードディスク、フレキシブルディスク、ＣＤ（Ｃｏｍｐａｃｔ  Ｄｉｓｃ）−ＲＯＭ、ＭＯ（Ｍａｇｎｅｔｏ−Ｏｐｔｉｃａｌ  Ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリなどのコンピュータで読み取り可能な記録媒体に記録され、コンピュータによって記録媒体から読み出されることによって実行される。また、情報発信プログラムは、インターネットなどのネットワークを介して配布してもよい。
【産業上の利用可能性】
【０１１１】
以上のように、この発明にかかる表示装置は、エレベーターの乗員に対して画像を表示する表示装置に有用であり、特に、エレベーター内の環境改善および犯罪抑止による防犯を図る表示装置に適している。
【符号の説明】
【０１１２】
１００  表示装置
１０１  情報処理装置
１０２  支持部材
１０３  表示画面
１０４  撮像部
１０５  前面部
１０６  上端部
１０７  壁面接着部
１０８  情報処理装置止め部
２０１  情報処理装置保持部
２０２、４００ｂ、５００ａ  磁石部材
３００ａ、３００ｂ  接着補助部
３０１  蓋部
３０２  表示画面用孔
３０３  撮像部用孔
７０１  画像情報受信部
７０２  画像情報記憶部
７０３  制御部
７０４  撮像情報記憶部
７０５  照度測定部
【図１】
2019151443.tif 000003
【図２】
2019151443.tif 000004
【図３】
2019151443.tif 000005
【図４】
2019151443.tif 000006
【図５】
2019151443.tif 000007
【図６】
2019151443.tif 000008
【図７】
2019151443.tif 000009
【図８】
2019151443.tif 000010
【図９】
2019151443.tif 000011
【図１０】
2019151443.tif 000012
【図１１】
2019151443.tif 000013
【図１２】
2019151443.tif 000014
【図１３】
2019151443.tif 000015